(57)【要約】  光軸方向において外周部の一方の面が被受け面１６として形成され他方の面が被押当面１７として形成されたレンズ８と、被受け面を受けるレンズ受け面９ａを有するレンズ保持環４と、被押当面に押し付けられる弾性部材１８と、レンズ保持環に対して光軸方向へ移動可能にされると共に弾性部材を光軸方向から押さえる押さえ面１４ａを有しレンズを弾性部材を介してレンズ受け面に押し付ける押さえ環１２とを備えた。
2020170619.tif 000002
【特許請求の範囲】
【請求項１】
光軸方向において外周部の一方の面が被受け面として形成され他方の面が被押当面として形成されたレンズと、
前記被受け面を受けるレンズ受け面を有するレンズ保持環と、
前記被押当面に押し付けられる弾性部材と、
前記レンズ保持環に対して光軸方向へ移動可能にされると共に前記弾性部材を光軸方向から押さえる押さえ面を有し前記レンズを前記弾性部材を介して前記レンズ受け面に押し付ける押さえ環とを備えた
レンズ鏡筒。
【請求項２】
前記レンズ保持環に前記弾性部材を受ける部材受け面が形成され、
前記弾性部材が前記部材受け面と前記被押当面に押し付けられた
請求項１に記載のレンズ鏡筒。
【請求項３】
前記弾性部材が環状に形成された
請求項１に記載のレンズ鏡筒。
【請求項４】
前記被押当面に光軸方向及び光軸方向に直交する方向に対して傾斜する傾斜部が形成され、
前記傾斜部に前記弾性部材が押し付けられた
請求項１に記載のレンズ鏡筒。
【請求項５】
前記レンズの外周面と前記レンズ保持環の内周面とが非接触の状態にされた
請求項１に記載のレンズ鏡筒。
【請求項６】
前記押さえ環が軸回り方向へ回転されることにより前記レンズ保持環に対して光軸方向へ移動され、
前記押さえ環と前記弾性部材の間に環状の第１のシートが配置され、
前記押さえ環が前記第１のシートを介して前記弾性部材に押し付けられた
請求項１に記載のレンズ鏡筒。
【請求項７】
前記弾性部材の光軸方向における両面がそれぞれ光軸方向を向く平面部として形成され、
前記レンズ保持環に前記弾性部材を受ける部材受け面が形成され、
前記部材受け面が光軸方向を向く向きに形成され、
前記押さえ面が光軸方向を向く向きに形成され、
前記弾性部材は一方の前記平面部が前記押さえ面に押さえられ他方の前記平面部が前記部材受け面に押し付けられる
請求項１に記載のレンズ鏡筒。
【請求項８】
前記レンズ保持環に複数の螺孔が周方向に離隔して形成され、
前記螺孔には先端面が前記レンズの外周面に接する調整ネジが螺合され、
前記螺孔に対する前記調整ネジの螺合位置によって前記レンズの光軸方向に直交する方向における位置が調整される
請求項１に記載のレンズ鏡筒。
【請求項９】
前記調整ネジが弾性変形可能な樹脂材料によって形成された
請求項８に記載のレンズ鏡筒。
【請求項１０】
前記レンズ受け面と前記被受け面の間に環状の第２のシートが配置され、
前記レンズが前記第２のシートを介して前記レンズ受け面に押し付けられた
請求項１に記載のレンズ鏡筒。
【請求項１１】
前記調整ネジの線膨張係数が前記レンズ保持環の線膨張係数より大きくされ、
前記レンズ保持環の線膨張係数が前記レンズの線膨張係数より大きくされた
請求項８に記載のレンズ鏡筒。
【請求項１２】
光学像を取り込むレンズ鏡筒と取り込まれた光学像を電気的信号に変換する撮像素子とを備え、
前記レンズ鏡筒は、
光軸方向において外周部の一方の面が被受け面として形成され他方の面が被押当面として形成されたレンズと、
前記被受け面を受けるレンズ受け面を有するレンズ保持環と、
前記被押当面に押し付けられる弾性部材と、
前記レンズ保持環に対して光軸方向へ移動可能にされると共に前記弾性部材を光軸方向から押さえる押さえ面を有し前記レンズを前記弾性部材を介して前記レンズ受け面に押し付ける押さえ環とを備えた
撮像装置。
【発明の詳細な説明】
【技術分野】
【０００１】
本技術は、押さえ環とレンズ保持環が用いられてレンズが保持されるレンズ鏡筒及び撮像装置についての技術分野に関する。
【背景技術】
【０００２】
ビデオカメラやスチルカメラ等の各種の撮像装置にはレンズ等の撮影光学系を介して光学像を取り込むレンズ鏡筒が設けられ、レンズ鏡筒が光軸方向に並ぶ複数のレンズ群を有する構成にされているものがある。また、撮像装置にはレンズ鏡筒が設けられておらず、撮像装置に着脱可能にされた交換レンズ等がレンズ鏡筒として用いられる場合もある。【０００３】
このようなレンズ鏡筒においては、押さえ環とレンズ保持環が用いられてレンズが保持される構成にされたものがある（例えば、特許文献１、特許文献２及び特許文献３参照）。【０００４】
特許文献１に記載されたレンズ鏡筒においては、レンズが押さえ環とレンズ保持環によって光軸方向において挟持されて保持されている。【０００５】
特許文献２に記載されたレンズ鏡筒においては、レンズが押さえ環とレンズ保持環によって光軸方向において挟持された状態でレンズの外周面とレンズ保持環の内周面との間に丸軸状の樹脂が周方向に離隔して配置され、光軸方向に直交する方向に対して衝撃が付与されたときにレンズが保護される構成にされている。【０００６】
特許文献３に記載されたレンズ鏡筒においては、レンズが押さえ環とレンズ保持環によって光軸方向において挟持された状態でレンズと押さえ環の間に環状の弾性部材が配置され、光軸方向に対して衝撃が付与されたときにレンズが保護される構成にされている。
【先行技術文献】
【特許文献】
【０００７】
【特許文献１】特開２０１７−８３７２３号公報
【特許文献２】特開２０１７−２１５３８９号公報
【特許文献３】特許６１９２５６０号公報
【発明の概要】
【発明が解決しようとする課題】
【０００８】
ところで、レンズ鏡筒において、レンズが押さえ環とレンズ保持環によって光軸方向において挟持されることにより保持される状態であると、レンズが光軸方向において押さえ環とレンズ保持環の双方に接しているため、衝撃が押さえ環やレンズ保持環から減衰されることなくレンズに伝達され易くなり、レンズに位置ずれや損傷や歪みが生じて光学性能の低下を来すおそれがある。【０００９】
そこで、本技術レンズ鏡筒及び撮像装置は、レンズに対する外的負荷を軽減して良好な光学性能を確保することを目的とする。
【課題を解決するための手段】
【００１０】
第１に、本技術に係るレンズ鏡筒は、光軸方向において外周部の一方の面が被受け面として形成され他方の面が被押当面として形成されたレンズと、前記被受け面を受けるレンズ受け面を有するレンズ保持環と、前記被押当面に押し付けられる弾性部材と、前記レンズ保持環に対して光軸方向へ移動可能にされると共に前記弾性部材を光軸方向から押さえる押さえ面を有し前記レンズを前記弾性部材を介して前記レンズ受け面に押し付ける押さえ環とを備えたものである。【００１１】
これにより、弾性部材が光軸方向から押さえ環によって押さえられ弾性部材がレンズの被押当面に押し付けられると共にレンズの被受け面がレンズ保持環のレンズ受け面によって受けられるため、押さえ環がレンズに非接触の状態でレンズを保持することが可能になる。【００１２】
第２に、上記したレンズ鏡筒においては、前記レンズ保持環に前記弾性部材を受ける部材受け面が形成され、前記弾性部材が前記部材受け面と前記被押当面に押し付けられることが望ましい。【００１３】
これにより、弾性部材が押さえ環の一部とレンズの一部とレンズ保持環の一部とに三方向において押し付けられる。【００１４】
第３に、上記したレンズ鏡筒においては、前記弾性部材が環状に形成されることが望ましい。【００１５】
これにより、押さえ環の押圧力が弾性部材を介してレンズの外周部に均等に付与され易くなる。【００１６】
第４に、上記したレンズ鏡筒においては、前記被押当面に光軸方向及び光軸方向に直交する方向に対して傾斜する傾斜部が形成され、前記傾斜部に前記弾性部材が押し付けられることが望ましい。【００１７】
これにより、光軸方向及び光軸方向に直交する方向に対して傾斜する傾斜部に弾性部材が押し付けられた状態でレンズが保持される。【００１８】
第５に、上記したレンズ鏡筒においては、前記レンズの外周面と前記レンズ保持環の内周面とが非接触の状態にされることが望ましい。【００１９】
これにより、衝撃が付与されたときにレンズの外周面がレンズ保持環に接触し難い。【００２０】
第６に、上記したレンズ鏡筒においては、前記押さえ環が軸回り方向へ回転されることにより前記レンズ保持環に対して光軸方向へ移動され、前記押さえ環と前記弾性部材の間に環状の第１のシートが配置され、前記押さえ環が前記第１のシートを介して前記弾性部材に押し付けられることが望ましい。【００２１】
これにより、軸回り方向への回転時に押さえ環が第１のシートに摺動される。【００２２】
第７に、上記したレンズ鏡筒においては、前記弾性部材の光軸方向における両面がそれぞれ光軸方向を向く平面部として形成され、前記レンズ保持環に前記弾性部材を受ける部材受け面が形成され、前記部材受け面が光軸方向を向く向きに形成され、前記押さえ面が光軸方向を向く向きに形成され、前記弾性部材は一方の前記平面部が前記押さえ面に押さえられ他方の前記平面部が前記部材受け面に押し付けられることが望ましい。【００２３】
これにより、弾性部材のレンズ保持環と押さえ環に対する接触面積が大きくなる。【００２４】
第８に、上記したレンズ鏡筒においては、前記レンズ保持環に複数の螺孔が周方向に離隔して形成され、前記螺孔には先端面が前記レンズの外周面に接する調整ネジが螺合され、前記螺孔に対する前記調整ネジの螺合位置によって前記レンズの光軸方向に直交する方向における位置が調整されることが望ましい。【００２５】
これにより、複数の調整ネジによってレンズの光軸方向に直交する方向における位置が調整される。【００２６】
第９に、上記したレンズ鏡筒においては、前記調整ネジが弾性変形可能な樹脂材料によって形成されることが望ましい。【００２７】
これにより、レンズに衝撃が付与されたときに複数の調整ネジが弾性変形可能である。【００２８】
第１０に、上記したレンズ鏡筒においては、前記レンズ受け面と前記被受け面の間に環状の第２のシートが配置され、前記レンズが前記第２のシートを介して前記レンズ受け面に押し付けられることが望ましい。【００２９】
これにより、調整ネジによる調整時にレンズが第２のシートに摺動される。【００３０】
第１１に、上記したレンズ鏡筒においては、前記調整ネジの線膨張係数が前記レンズ保持環の線膨張係数より大きくされ、前記レンズ保持環の線膨張係数が前記レンズの線膨張係数より大きくされることが望ましい。【００３１】
これにより、レンズ鏡筒が用いられる環境が変化したときに調整ネジの膨張率又は収縮率がレンズ保持環の膨張率又は収縮率より大きく、レンズ保持環の膨張率又は収縮率がレンズの膨張率又は収縮率より大きくなる。【００３２】
第１２に、本技術に係る撮像装置は、光学像を取り込むレンズ鏡筒と取り込まれた光学像を電気的信号に変換する撮像素子とを備え、前記レンズ鏡筒は、光軸方向において外周部の一方の面が被受け面として形成され他方の面が被押当面として形成されたレンズと、前記被受け面を受けるレンズ受け面を有するレンズ保持環と、前記被押当面に押し付けられる弾性部材と、前記レンズ保持環に対して光軸方向へ移動可能にされると共に前記弾性部材を光軸方向から押さえる押さえ面を有し前記レンズを前記弾性部材を介して前記レンズ受け面に押し付ける押さえ環とを備えたものである。【００３３】
これにより、レンズ鏡筒において、弾性部材が光軸方向から押さえ環によって押さえられ弾性部材がレンズの被押当面に押し付けられると共にレンズの被受け面がレンズ保持環のレンズ受け面によって受けられるため、押さえ環がレンズに非接触の状態でレンズを保持することが可能になる。
【図面の簡単な説明】
【００３４】
【図１】図２乃至図７と共に本技術レンズ鏡筒及び撮像装置の実施の形態を示すものであり、本図は、レンズ鏡筒と装置本体を分離して示す撮像装置の斜視図である。
【図２】レンズ鏡筒の一部を示す分解斜視図である。
【図３】レンズ鏡筒の一部を示す断面図である。
【図４】レンズ鏡筒の一部を示す拡大断面図である。
【図５】押さえ環の一部を示す側面図である。
【図６】別の弾性部材が用いられた例を示す拡大断面図である。
【図７】撮像装置のブロック図である。
【発明を実施するための形態】
【００３５】
以下に、本技術を実施するための形態を添付図面を参照して説明する。
【００３６】
以下に示す実施の形態は、本技術撮像装置をスチルカメラに適用し、本技術レンズ鏡筒をこのスチルカメラの装置本体に対して着脱可能な交換レンズに適用したものである。
【００３７】
尚、本技術の適用範囲はスチルカメラ、スチルカメラの装置本体に対して着脱可能な交換レンズに限られることはない。本技術は、例えば、撮像装置としてビデオカメラや他の機器に組み込まれる各種の撮像装置、これらの撮像装置に設けられるレンズ群等により構成されるレンズユニット等のレンズ鏡筒に広く適用することができる。
【００３８】
以下の説明にあっては、スチルカメラの撮影時において撮影者から見た方向で前後上下左右の方向を示すものとする。従って、被写体側が前方となり、撮影者側が後方となる。
【００３９】
尚、以下に示す前後上下左右の方向は説明の便宜上のものであり、本技術の実施に関しては、これらの方向に限定されることはない。
【００４０】
また、以下に示すレンズ群は、単数又は複数のレンズにより構成されたものの他、これらの単数又は複数のレンズと絞りやアイリス等の他の光学素子を含んでもよい。
【００４１】
＜撮像装置の構成＞
撮像装置１００は装置本体２００とレンズ鏡筒１によって構成されている（図１参照）。レンズ鏡筒１は、例えば、装置本体２００に着脱可能な交換レンズである。尚、本技術は、装置本体の内部にレンズ鏡筒１の内部構造と同様の構造を有するレンズユニットが組み込まれたタイプやこのレンズユニットが装置本体に対して突出又は収納される沈胴タイプにも適用することが可能である。
【００４２】
装置本体２００は外筐２０１の内外に所要の各部が配置されて成る。
【００４３】
外筐２０１には、例えば、上面や後面に各種の操作部２０２、２０２、・・・が配置されている。操作部２０２、２０２、・・・としては、例えば、電源釦、シャッター釦、ズーム摘子、モード切替摘子等が設けられている。
【００４４】
外筐２０１の後面には図示しないディスプレイ（表示部）が配置されている。
【００４５】
外筐２０１の前面には円形状の開口２０１ａが形成され、開口２０１ａの周囲の部分がレンズ鏡筒１を装着するためのマウント部２０３として設けられている。
【００４６】
外筐２０１の内部にはＣＣＤ（Charge Coupled Device）やＣＭＯＳ（Complementary Metal-Oxide Semiconductor）等の撮像素子２０４が配置され、撮像素子２０４は開口２０１ａの後方に位置されている。
【００４７】
＜レンズ鏡筒の構成＞
レンズ鏡筒１は軸方向が前後方向にされた略円筒状の外筒２と外筒２の内外に取り付けられ又は支持された所要の各部とから成る（図１及び図２参照）。軸方向は光軸方向に一致されている。
【００４８】
外筒２は、例えば、本体筒部３とレンズ保持環４が軸方向において結合されて構成され、本体筒部３とレンズ保持環４は何れも、例えば、金属材料によって形成されている。本体筒部３は、後端部を除く部分がベース筒部５として設けられ、後端部がベース筒部５より外径が稍小さい結合筒部６として設けられている。
【００４９】
結合筒部６にはマウント用突部６ａ、６ａ、６ａが周方向に離隔して設けられている。レンズ鏡筒１はマウント用突部６ａ、６ａ、６ａがマウント部２０３に、例えば、バヨネット結合によって結合されることにより、装置本体２００に装着される。
【００５０】
レンズ鏡筒１にはズームリングやフォーカスリングとして機能する操作リング７、７が設けられている。操作リング７、７はベース筒部５に回転可能に支持され、操作リング７、７が回転操作されることによりズーミングやフォーカシングが行われる。
【００５１】
レンズ鏡筒１は、例えば、複数のレンズ（レンズ群）８、８、・・・を有している（図１乃至図３参照）。尚、図１乃至図３には、最も前側のレンズ８Ａのみを図示する。レンズ８、８、・・・は光軸方向（前後方向）に離隔して位置され、光軸方向へ移動可能な可動レンズ（可動レンズ群）と光軸方向へ移動不能な固定レンズ（固定レンズ群）とを有している。
【００５２】
レンズ保持環４は略円環状に形成され、本体筒部３の前端部に結合されている。レンズ保持環４の前後方向（軸方向）における中間部には、内方に張り出されたフランジ状の受け突部９が設けられている（図３参照）。受け突部９の前面は前方を向くレンズ受け面９ａとして形成されている（図４参照）。
【００５３】
レンズ保持環４における受け突部９の前側の部分は孔形成部１０として設けられ、孔形成部１０にはレンズ保持環４の径方向において貫通された螺孔１０ａ、１０ａ、・・・が周方向に等間隔に離隔して形成されている。孔形成部１０の外周部には螺孔１０ａに連続して外方に開口された充填用凹部１０ｂが形成されている（図５参照）。充填用凹部１０ｂは接着剤が充填される凹部であり、レンズ保持環４の周方向において螺孔１０ａに連続して形成されている。
【００５４】
孔形成部１０の内周面における前端部を除く部分は光軸Ｐ（図２参照）に平行なレンズ対向面１０ｃとして形成され、レンズ対向面１０ｃは後縁がレンズ受け面９ａの外周縁に連続されている（図４参照）。孔形成部１０にはレンズ対向面１０ｃの前縁に連続して部材受け面１０ｄが形成されている。部材受け面１０ｄはレンズ対向面１０ｃから前方へ行くに従って孔形成部１０の外周面１０ｅに近付く方向へ傾斜されている。孔形成部１０には内周側に前方を向くシート受け面１０ｆが形成され、シート受け面１０ｆは部材受け面１０ｄより前側に位置されている。
【００５５】
レンズ保持環４における孔形成部１０の前側の部分は結合部１１として設けられ、結合部１１の内周面における一部はネジ溝が形成された螺溝部１１ａとして形成されている。
【００５６】
レンズ保持環４の結合部１１には押さえ環１２が結合される（図２及び図３参照）。押さえ環１２は、例えば、金属材料によって略円環状に形成され、後方へ行くに従って内径が小さくなる形状に形成されている。
【００５７】
押さえ環１２の外周面における一部はネジ溝が形成された螺合部１２ａとして形成されている。押さえ環１２の内周面は径が異なる複数の径変化部１２ｂ、１２ｂ、・・・がそれぞれ段差を介して連続的に形成され、径変化部１２ｂ、１２ｂ、・・・の径は後方へ行くに従って小さくなるようにされている。押さえ環１２の内周面が複数の径変化部１２ｂ、１２ｂ、・・・を有する構成にされることにより、外光が押さえ環１２の内部に入射されたときに入射された外光が乱反射され強度の高い光の撮像素子２０４への入射が抑制される。
【００５８】
押さえ環１２の前端部は径方向において他の部分より外側に位置された最大径部１３として設けられている。押さえ環１２の後端部は作用部１４として設けられている。作用部１４の後面における外周側の略半部分の部分は後方を向く押さえ面１４ａとして形成されている（図４参照）。作用部１４の内周側の略半部分の部分には逃げ凹部１４ｂが形成され、逃げ凹部１４ｂは後方及び光軸Ｐ方向に開口されている。
【００５９】
レンズ保持環４の内部には最も前側に位置されるレンズ８Ａが保持される（図２乃至図４参照）。レンズ８Ａは、例えば、ガラス材料によって形成された凸レンズであり、光軸方向における一方の面（前面）が凸面に形成され、光軸方向における他方の面（後面）が平面に形成されている。
【００６０】
レンズ８Ａの外周部はコバ部１５とされ、コバ部１５の前面は被押当面１６として形成されコバ部１５の後面は被受け面１７として形成されている。被押当面１６の外周部は傾斜部１６ａとして形成され、傾斜部１６ａは光軸方向及び光軸方向に直交する方向に対して傾斜され、径方向においてレンズ８Ａの外周面８ａに近付くに従って被受け面１７に近付くように傾斜されている。
【００６１】
レンズ８Ａはコバ部１５が弾性部材１８を介して押さえ環１２に光軸方向から押さえられた状態でレンズ保持環４の内部に保持される。弾性部材１８は、例えば、ゴム材料によって円環状に形成されている。弾性部材１８の径はレンズ８Ａの径と略同じにされ、弾性変形されていない状態における断面形状が、例えば、円形状に形成されている。
【００６２】
レンズ８Ａは円環状の第１のシート１９と円環状の第２のシート２０と弾性部材１８を介して押さえ環１２とレンズ保持環４に挟持された状態でレンズ保持環４の内部に保持されている（図３及び図４参照）。第１のシート１９は押さえ環１２の作用部１４と弾性部材１８との間に配置され、第２のシート２０はレンズ８Ａとレンズ保持環４の受け突部９との間に配置され、弾性部材１８がレンズ保持環４の部材受け面１０ｄとレンズ８Ａの傾斜部１６ａとに押し付けられる。
【００６３】
尚、第２のシート２０はレンズ８Ａとレンズ保持環４の受け突部９との間に配置されるため、厚みによってレンズ８Ａの光軸方向における位置を調整することが可能である。従って、レンズ保持環４の内部に配置する第２のシート２０の枚数を必要な枚数にすることにより、レンズ８Ａの光軸方向における位置を適正な位置に調整することができる。
【００６４】
レンズ鏡筒１においては、光軸方向に直交する方向におけるレンズ８Ａの調整が調整ネジ２１、２１、・・・によって行われる（図２乃至図４参照）。調整によってレンズ８Ａの他のレンズ８等との光軸が一致される。調整ネジ２１は、例えば、弾性変形可能な樹脂材料によって形成され、ドライバー等の治具によってレンズ保持環４に形成された螺孔１０ａに螺合される。
【００６５】
調整ネジ２１が螺孔１０ａに螺合されることにより、調整ネジ２１の先端面２１ａがレンズ８Ａの外周面８ａに接し、調整ネジ２１の螺孔１０ａに対する螺合位置によってレンズ８Ａが光軸方向に直交する方向に変位され、レンズ８Ａの光軸方向に直交する方向における調整が行われる。レンズ８Ａは調整が行われた状態において、外周面８ａが孔形成部１０のレンズ対向面１０ｃと光軸方向に直交する方向において離隔して位置される。
【００６６】
レンズ８Ａの光軸方向に直交する方向における調整が完了したときには、孔形成部１０に形成された充填用凹部１０ｂに図示しない接着剤が充填され、調整ネジ２１が孔形成部１０に固定され、レンズ８Ａは調整が完了した位置に保持される。
【００６７】
上記したように、レンズ鏡筒１にあっては、レンズ保持環４に複数の螺孔１０ａが周方向に離隔して形成され、螺孔１０ａには先端面２１ａがレンズ８Ａの外周面８ａに接する調整ネジ２１が螺合され、螺孔１０ａに対する調整ネジ２１の螺合位置によってレンズ８Ａの光軸方向に直交する方向における位置が調整される。
【００６８】
従って、複数の調整ネジ２１によってレンズ８Ａの光軸方向に直交する方向における位置が調整されるため、レンズ８Ａの光軸の位置調整を容易かつ確実に行うことができる。
【００６９】
また、調整ネジ２１が弾性変形可能な樹脂材料によって形成されているため、レンズ８Ａに外筒２等を介して衝撃が付与されたときに複数の調整ネジ２１が弾性変形可能であるため、調整ネジ２１によって衝撃が吸収されてレンズ８Ａの損傷や位置ずれや歪みの発生を防止することができる。
【００７０】
さらに、レンズ８Ａの外周面８ａとレンズ保持環４の内周面とが非接触の状態にされているため、衝撃が付与されたときにレンズ８Ａの外周面８ａがレンズ保持環４に接触し難く、レンズ８Ａの損傷を防止することができる。また、環境の変化が生じレンズ８Ａとレンズ保持環４の膨張又は収縮が生じた場合においても、レンズ８Ａの外周面８ａとレンズ保持環４の内周面とが非接触の状態が保持され、レンズ８Ａの歪みの発生を防止することができる。
【００７１】
尚、レンズ鏡筒１においては、上記したように、レンズ保持環４が金属材料によって形成され、レンズ８Ａがガラス材料によって形成され、調整ネジ２１が樹脂材料によって形成されており、調整ネジ２１の線膨張係数がレンズ保持環４の線膨張係数より大きくされ、レンズ保持環４の線膨張係数がレンズ８Ａの線膨張係数より大きくされている。
【００７２】
＜レンズの保持作業＞
以下に、レンズ８Ａの保持作業について説明する（図３及び図４参照）。
【００７３】
レンズ８Ａの保持作業においては、先ず、第２のシート２０がレンズ保持環４の内部に前側から挿入され、次に、レンズ８Ａがレンズ保持環４の内部に前側から挿入される。第２のシート２０はレンズ保持環４における受け突部９のレンズ受け面９ａに押し当てられ、レンズ８Ａは被受け面１７が第２のシート２０に押し当てられる。
【００７４】
次に、弾性部材１８がレンズ保持環４の内部に前側から挿入され、続いて、第１のシート１９がレンズ保持環４の内部に前側から挿入される。弾性部材１８はレンズ保持環４の部材受け面１０ｄとレンズ８Ａの傾斜部１６ａとに押し当てられ、第１のシート１９が弾性部材１８と孔形成部１０のシート受け面１０ｆに押し当てられる。
【００７５】
次いで、押さえ環１２がレンズ保持環４の内部に前側から挿入されて押さえ環１２がレンズ保持環４に結合される。押さえ環１２のレンズ保持環４への挿入は、押さえ環１２が軸回り方向へ回転されて螺合部１２ａが結合部１１の螺溝部１１ａに螺合されることにより行われる。押さえ環１２が軸回り方向へ回転されてレンズ保持環４の内部に挿入された状態において、押さえ環１２の押さえ面１４ａによって第１のシート１９が前方から押さえられ、第１のシート１９がシート受け面１０ｆに押し付けられると共に弾性部材１８に第１のシート１９を介して押さえ面１４ａが押し付けられる。
【００７６】
このとき回転される押さえ環１２が第１のシート１９に対して円滑に摺動されるため、押さえ環１２の円滑な回転状態が確保される。
【００７７】
第１のシート１９を介して押さえ面１４ａが押し付けられた弾性部材１８は弾性変形され、レンズ保持環４の部材受け面１０ｄとレンズ８Ａの傾斜部１６ａとに弾性変形された状態で押し付けられる。従って、レンズ８Ａが弾性部材１８によって前方から押圧され、被受け面１７が第２のシート２０を介して受け突部９のレンズ受け面９ａに押し付けられる。
【００７８】
このとき押さえ環１２は作用部１４がレンズ８Ａの被押当面１６に接触されておらず、レンズ８Ａとの間に隙間Ｓが形成された状態でレンズ保持環４に結合される。特に、押さえ環１２には逃げ凹部１４ｂが形成されているため、押さえ環１２とレンズ８Ａの接触が確実に防止される。レンズ８Ａに結合された押さえ環１２は最大径部１３がレンズ保持環４の前側に位置された状態にされる。
【００７９】
上記のように、押さえ環１２とレンズ保持環４が結合され、押さえ環１２によって第１のシート１９を介して弾性部材１８がレンズ８Ａに押し付けられ、レンズ８Ａが第２のシート２０を介してレンズ保持環４のレンズ受け面９ａに押し付けられることにより、レンズ８Ａの保持作業が完了する。レンズ８Ａの保持作業が完了した状態においては、レンズ８Ａが弾性部材１８と第１のシート１９と第２のシート２０を介して押さえ環１２とレンズ保持環４によって光軸方向において挟持される。
【００８０】
また、上記した調整ネジ２１、２１、・・・による光軸方向に直交する方向におけるレンズ８Ａの調整は、レンズ８Ａの保持作業が完了した状態において行われる。このとき調整ネジ２１の回転に伴ってレンズ８Ａが光軸に直交する方向へ変位されるが、レンズ８Ａが第２のシート２０に対して円滑に摺動される。
【００８１】
＜まとめ＞
以上に記載した通り、撮像装置１００及びレンズ鏡筒１にあっては、レンズ８Ａの被受け面１７を受けるレンズ受け面９ａを有するレンズ保持環４と、レンズ８Ａの被押当面１６に押し付けられる弾性部材１８と、レンズ保持環４に対して光軸方向へ移動可能にされると共に弾性部材１８を光軸方向から押さえる押さえ面１４ａを有しレンズ８Ａを弾性部材１８を介してレンズ受け面９ａに押し付ける押さえ環１２とを備えている。
【００８２】
従って、弾性部材１８が光軸方向から押さえ環１２によって押さえられ弾性部材１８がレンズ８Ａの被押当面１６に押し付けられると共にレンズ８Ａの被受け面１７がレンズ保持環４のレンズ受け面９ａによって受けられるため、押さえ環１２がレンズ８Ａに非接触の状態でレンズ８Ａを保持することが可能になる。これにより、レンズ鏡筒１に対して衝撃等が付与されたときに、押さえ環１２からレンズ８Ａに伝達される衝撃が弾性部材１８によって低減され、レンズ８Ａに対する外的負荷を軽減して良好な光学性能を確保することができる。
【００８３】
また、弾性部材１８を介して押さえ環１２によってレンズ８Ａが押し付けられているため、レンズ８Ａにおいて歪みの発生を抑制することができる。特に、コバ部１５が他の部分より薄肉にされたレンズ８Ａにおいては押圧力がコバ部１５に集中し易いため歪みが生じ易いため、コバ部１５が他の部分より薄肉にされたレンズ８Ａを弾性部材１８を介して押さえることにより高い効果を得ることができる。
【００８４】
さらに、押さえ環１２とレンズ８Ａの間において弾性部材１８が弾性変形された状態でレンズ８Ａに押し付けられており、環境の変化が生じて線膨張係数の差により押さえ環１２とレンズ８Ａの隙間Ｓが変化した場合においても、弾性部材１８の弾性変形の程度が変化されるが弾性部材１８がレンズ８Ａに押し付けられた状態は保持されるため、環境の変化に拘わらずレンズ８Ａの安定した保持状態を確保することができる。
【００８５】
また、レンズ保持環４に弾性部材１８を受ける部材受け面１０ｄが形成され、弾性部材１８が部材受け面１０ｄと被押当面１６に押し付けられている。
【００８６】
従って、弾性部材１８が押さえ環１２の一部とレンズ８Ａの一部とレンズ保持環４の一部とに三方向において押し付けられるため、弾性部材１８を安定した状態でレンズ保持環４の内部に配置することができる。
【００８７】
さらに、弾性部材１８が環状に形成され、押さえ環１２の押圧力が弾性部材１８を介してレンズ８Ａの外周部に均等に付与され易くなるため、レンズ８Ａのレンズ保持環４と押さえ環１２を用いた一層安定した保持状態を確保することができる。
【００８８】
さらにまた、被押当面１６に光軸方向及び光軸方向に直交する方向に対して傾斜する傾斜部１６ａが形成され、傾斜部１６ａに弾性部材１８が押し付けられている。
【００８９】
従って、光軸方向及び光軸方向に直交する方向に対して傾斜する傾斜部１６ａに弾性部材１８が押し付けられた状態でレンズ８Ａが保持されるため、光軸方向における衝撃及び光軸方向に直交する方向における衝撃が弾性部材１８に吸収されてレンズ８Ａの位置ずれ及び歪みの発生を防止することができる。
【００９０】
また、押さえ環１２が軸回り方向へ回転されることによりレンズ保持環４に対して光軸方向へ移動され、押さえ環１２と弾性部材１８の間に環状の第１のシート１９が配置され、押さえ環１２が第１のシート１９を介して弾性部材１８に押し付けられている。
【００９１】
従って、軸回り方向への回転時に押さえ環１２が第１のシート１９に摺動されるため、押さえ環１２がレンズ保持環４に対して円滑に回転され押さえ環１２のレンズ保持環４に対する良好な組立性を確保することができる。
【００９２】
さらに、レンズ受け面９ａと被受け面１７の間に環状の第２のシート２０が配置され、レンズ８Ａが第２のシート２０を介してレンズ受け面９ａに押し付けられている。
【００９３】
従って、調整ネジ２１による調整時にレンズ８Ａが第２のシート２０に摺動されるため、レンズ８Ａがレンズ保持環４に対して円滑に変位されレンズ８Ａの光軸方向に直交する方向における位置調整を容易かつ正確に行うことができる。
【００９４】
加えて、調整ネジ２１の線膨張係数がレンズ保持環４の線膨張係数より大きくされ、レンズ保持環４の線膨張係数がレンズ８Ａの線膨張係数より大きくされている。
【００９５】
従って、レンズ鏡筒１が高温環境下において使用されるときに、レンズ８Ａの外周面８ａとレンズ保持環４の内周面との間の隙間が大きくなっても調整ネジ２１の先端面２１ａがレンズ８Ａの外周面８ａに接した状態が保持されるため、レンズ８Ａのガタ付きを防止することができる。
【００９６】
一方、レンズ鏡筒１が低温環境下において使用されるときに、レンズ８Ａの外周面８ａとレンズ保持環４の内周面との間の隙間が小さくなっても調整ネジ２１の収縮率がレンズ保持環４の収縮率より大きいため、レンズ８Ａに調整ネジ２１から過度の負荷が付与されずレンズ８Ａの変形や割れを防止することができる。
【００９７】
＜その他＞
上記には、弾性変形されていない状態における断面形状が円形状に形成された弾性部材１８の例を示したが、弾性部材１８は断面形状が円形状に限らず、各種の形状に形成されていてもよい。
【００９８】
例えば、弾性部材１８に代えて平面部を有する弾性部材１８Ａが用いられてもよい（図６参照）。弾性部材１８Ａは前後方向における両面がそれぞれ光軸方向を向く平面部１８ａ、１８ｂとして形成されている。弾性部材１８Ａが用いられる場合には、レンズ保持環４における孔形成部１０の部材受け面１０ｄが光軸方向を向く向きに形成され、押さえ環１２における作用部１４の押さえ面１４ａが光軸方向を向く向きに形成される。弾性部材１８Ａは一方の平面部１８ａが押さえ面１４ａに押さえられ他方の平面部１８ｂが部材受け面１０ｄに押し付けられる。
【００９９】
このように両面がそれぞれ光軸方向を向く平面部１８ａ、１８ｂとして形成された弾性部材１８Ａが用いられ、平面部１８ａが光軸方向を向く押さえ面１４ａに押さえられ平面部１８ｂが光軸方向を向く部材受け面１０ｄに押し付けられることにより、弾性部材１８Ａのレンズ保持環４と押さえ環１２に対する接触面積が大きくなる。
【０１００】
従って、押さえ環１２がレンズ保持環４に対して軸回り方向へ回転されて押さえ面１４ａによって弾性部材１８が押さえられていくときに、弾性部材１８Ａに一部が内側に変位するような変形が生じ難く、弾性部材１８のレンズ８Ａに対する位置ずれを防止することができる。
【０１０１】
＜撮像装置の一実施形態＞
以下に、本技術撮像装置の一実施形態の構成例について説明する（図７参照）。
【０１０２】
撮像装置１００は、撮像機能を担うレンズ鏡筒１と、撮影された画像信号のアナログ−デジタル変換等の信号処理を行うカメラ信号処理部８１と、画像信号の記録再生処理を行う画像処理部８２とを有している。また、撮像装置１００は、撮影された画像等を表示する表示部（ディスプレイ）８３と、メモリー９０への画像信号の書込及び読出を行うＲ／Ｗ（リーダ／ライタ）８４と、撮像装置１００の全体を制御するＣＰＵ（Central Processing Unit）８５と、ユーザーによって所要の操作が行われる各種のスイッチ等の操作部２０２と、レンズ鏡筒１に配置されたレンズの駆動を制御するレンズ駆動制御部８６とを備えている。
【０１０３】
撮像装置１００には、レンズ鏡筒１によって取り込まれた光学像を電気的信号に変換するＣＣＤ（Charge Coupled Device）やＣＭＯＳ（Complementary Metal-Oxide Semiconductor）等の撮像素子２０４が設けられている。
【０１０４】
カメラ信号処理部８１は、撮像素子２０４からの出力信号に対するデジタル信号への変換、ノイズ除去、画質補正、輝度・色差信号への変換等の各種の信号処理を行う。
【０１０５】
画像処理部８２は、所定の画像データフォーマットに基づく画像信号の圧縮符号化・伸張復号化処理や解像度等のデータ仕様の変換処理等を行う。
【０１０６】
表示部８３はユーザーの操作部２０２に対する操作状態や撮影した画像等の各種のデータを表示する機能を有している。尚、撮像装置１００においては、表示部８３が設けられていなくてもよく、撮影された画像データが他の表示装置に送出されて画像が表示されるように構成されていてもよい。
【０１０７】
Ｒ／Ｗ８４は、画像処理部８２によって符号化された画像データのメモリー９０への書込及びメモリー９０に記録された画像データの読出を行う。
【０１０８】
ＣＰＵ８５は、撮像装置１００に設けられた各回路ブロックを制御する制御処理部として機能し、操作部２０２からの指示入力信号等に基づいて各回路ブロックを制御する。
【０１０９】
操作部２０２はユーザーによる操作に応じた指示入力信号をＣＰＵ８５に対して出力する。
【０１１０】
レンズ駆動制御部８６は、ＣＰＵ８５からの制御信号に基づいてレンズを移動させる駆動源を制御する。
【０１１１】
メモリー９０は、例えば、Ｒ／Ｗ８４に接続されたスロットに対して着脱可能な半導体メモリーである。
【０１１２】
以下に、撮像装置１００における動作を説明する。
【０１１３】
撮影の待機状態では、ＣＰＵ８５による制御の下で、撮影された画像信号がカメラ信号処理部８１を介して表示部８３に出力され、カメラスルー画像として表示される。また、操作部２０２からの指示入力信号が入力されると、ＣＰＵ８５がレンズ駆動制御部８６に制御信号を出力し、レンズ駆動制御部８６の制御に基づいてレンズが移動される。
【０１１４】
操作部２０２からの指示入力信号により撮影動作が行われると、撮影された画像信号がカメラ信号処理部８１から画像処理部８２に出力されて圧縮符号化処理され、所定のデータフォーマットのデジタルデータに変換される。変換されたデータはＲ／Ｗ８４に出力され、メモリー９０に書き込まれる。
【０１１５】
メモリー９０に記録された画像データを再生する場合には、操作部２０２に対する操作に応じて、Ｒ／Ｗ８４によってメモリー９０から所定の画像データが読み出され、画像処理部８２によって伸張復号化処理が行われた後に、再生画像信号が表示部８３に出力されて再生画像が表示される。
【０１１６】
尚、本技術において、「撮像」とは、撮像素子２０４による取り込まれた光を電気信号に変換する光電変換処理から、カメラ信号処理部８１による撮像素子２０４からの出力信号に対するデジタル信号への変換、ノイズ除去、画質補正、輝度・色差信号への変換等の処理、画像処理部８２による所定の画像データフォーマットに基づく画像信号の圧縮符号化・伸張復号化処理や解像度等のデータ仕様の変換処理、Ｒ／Ｗ８４によるメモリー９０への画像信号の書込処理までの一連の処理の一部のみ、または全てを含む処理のことを言う。
【０１１７】
即ち、「撮像」とは、撮像素子２０４による取り込まれた光を電気信号に変換する光電変換処理のみを指してもよく、撮像素子２０４による取り込まれた光を電気信号に変換する光電変換処理からカメラ信号処理部８１による撮像素子２０４からの出力信号に対するデジタル信号への変換、ノイズ除去、画質補正、輝度・色差信号への変換等の処理までを指してもよく、撮像素子２０４による取り込まれた光を電気信号に変換する光電変換処理からカメラ信号処理部８１による撮像素子２０４からの出力信号に対するデジタル信号への変換、ノイズ除去、画質補正、輝度・色差信号への変換等の処理を経て、画像処理部８２による所定の画像データフォーマットに基づく画像信号の圧縮符号化・伸張復号化処理や解像度等のデータ仕様の変換処理までを指してもよく、撮像素子２０４による取り込まれた光を電気信号に変換する光電変換処理からカメラ信号処理部８１による撮像素子２０４からの出力信号に対するデジタル信号への変換、ノイズ除去、画質補正、輝度・色差信号への変換等の処理、及び画像処理部８２による所定の画像データフォーマットに基づく画像信号の圧縮符号化・伸張復号化処理や解像度等のデータ仕様の変換処理までを指してもよく、Ｒ／Ｗ８４によるメモリー９０への画像信号の書込処理までを指してもよい。 上記の処理において各処理の順番は適宜入れ替わってもよい。
【０１１８】
また、本技術において、レンズ鏡筒１及び撮影装置１００は、上記の処理を行う撮像素子２０４、カメラ信号処理部８１、画像処理部８２、Ｒ／Ｗ８４の一部のみまたは全てを含むように構成されていてもよい。
【０１１９】
また、レンズ鏡筒１が撮像素子２０４、カメラ信号処理部８１、画像処理部８２、Ｒ／Ｗ８４のうち一部を含み、装置本体２００が残りを含むように構成されていてもよい。
【０１２０】
＜本技術＞
本技術は、以下のような構成にすることもできる。
【０１２１】
（１）
光軸方向において外周部の一方の面が被受け面として形成され他方の面が被押当面として形成されたレンズと、
前記被受け面を受けるレンズ受け面を有するレンズ保持環と、
前記被押当面に押し付けられる弾性部材と、
前記レンズ保持環に対して光軸方向へ移動可能にされると共に前記弾性部材を光軸方向から押さえる押さえ面を有し前記レンズを前記弾性部材を介して前記レンズ受け面に押し付ける押さえ環とを備えた
レンズ鏡筒。
【０１２２】
（２）
前記レンズ保持環に前記弾性部材を受ける部材受け面が形成され、
前記弾性部材が前記部材受け面と前記被押当面に押し付けられた
前記（１）に記載のレンズ鏡筒。
【０１２３】
（３）
前記弾性部材が環状に形成された
前記（１）又は前記（２）に記載のレンズ鏡筒。
【０１２４】
（４）
前記被押当面に光軸方向及び光軸方向に直交する方向に対して傾斜する傾斜部が形成され、
前記傾斜部に前記弾性部材が押し付けられた
前記（１）から前記（３）の何れかに記載のレンズ鏡筒。
【０１２５】
（５）
前記レンズの外周面と前記レンズ保持環の内周面とが非接触の状態にされた
前記（１）から前記（４）の何れかに記載のレンズ鏡筒。
【０１２６】
（６）
前記押さえ環が軸回り方向へ回転されることにより前記レンズ保持環に対して光軸方向へ移動され、
前記押さえ環と前記弾性部材の間に環状の第１のシートが配置され、
前記押さえ環が前記第１のシートを介して前記弾性部材に押し付けられた
前記（１）から前記（５）の何れかに記載のレンズ鏡筒。
【０１２７】
（７）
前記弾性部材の光軸方向における両面がそれぞれ光軸方向を向く平面部として形成され、
前記レンズ保持環に前記弾性部材を受ける部材受け面が形成され、
前記部材受け面が光軸方向を向く向きに形成され、
前記押さえ面が光軸方向を向く向きに形成され、
前記弾性部材は一方の前記平面部が前記押さえ面に押さえられ他方の前記平面部が前記部材受け面に押し付けられる
前記（１）から前記（６）の何れかに記載のレンズ鏡筒。
【０１２８】
（８）
前記レンズ保持環に複数の螺孔が周方向に離隔して形成され、
前記螺孔には先端面が前記レンズの外周面に接する調整ネジが螺合され、
前記螺孔に対する前記調整ネジの螺合位置によって前記レンズの光軸方向に直交する方向における位置が調整される
前記（１）から前記（７）の何れかに記載のレンズ鏡筒。
【０１２９】
（９）
前記調整ネジが弾性変形可能な樹脂材料によって形成された
前記（８）に記載のレンズ鏡筒。
【０１３０】
（１０）
前記レンズ受け面と前記被受け面の間に環状の第２のシートが配置され、
前記レンズが前記第２のシートを介して前記レンズ受け面に押し付けられた
前記（１）から前記（９）の何れかに記載のレンズ鏡筒。
【０１３１】
（１１）
前記調整ネジの線膨張係数が前記レンズ保持環の線膨張係数より大きくされ、
前記レンズ保持環の線膨張係数が前記レンズの線膨張係数より大きくされた
前記（８）又は前記（９）に記載のレンズ鏡筒。
【０１３２】
（１２）
光学像を取り込むレンズ鏡筒と取り込まれた光学像を電気的信号に変換する撮像素子とを備え、
前記レンズ鏡筒は、
光軸方向において外周部の一方の面が被受け面として形成され他方の面が被押当面として形成されたレンズと、
前記被受け面を受けるレンズ受け面を有するレンズ保持環と、
前記被押当面に押し付けられる弾性部材と、
前記レンズ保持環に対して光軸方向へ移動可能にされると共に前記弾性部材を光軸方向から押さえる押さえ面を有し前記レンズを前記弾性部材を介して前記レンズ受け面に押し付ける押さえ環とを備えた
撮像装置。
【符号の説明】
【０１３３】
１００…撮像装置、２０４…撮像素子、１…レンズ鏡筒、４…レンズ保持環、８Ａ…レンズ、８ａ…外周面、９ａ…レンズ受け面、１０ａ…螺孔、１０ｄ…部材受け面、１２…押さえ環、１４ａ…押さえ面、１６…被押当面、１６ａ…傾斜部、１７…被受け面、１８…弾性部材、１９…第１のシート、２０…第２のシート、２１…調整ネジ、２１ａ…先端面、１８Ａ…弾性部材、１８ａ…平面部、１８ｂ…平面部
【図１】
2020170619.tif 000003
【図２】
2020170619.tif 000004
【図３】
2020170619.tif 000005
【図４】
2020170619.tif 000006
【図５】
2020170619.tif 000007
【図６】
2020170619.tif 000008
【図７】
2020170619.tif 000009
【国際調査報告】
2020170619.tif 000010
2020170619.tif 000011
2020170619.tif 000012
2020170619.tif 000013
2020170619.tif 000014
2020170619.tif 000015